(57)【要約】【課題】  本発明の目的は、単純な形状で構成された吸入弁体の流体抵抗力増加部を有する高圧燃料供給ポンプを提供することにある。【解決手段】  高圧燃料供給ポンプは、吸入弁体３１と変位規制部４３との対向部に吸入弁体３１に作用する流体抵抗力を増加させる流体抵抗力増加部２００を備える。流体抵抗力増加部２００は、変位規制部４３の吸入弁体３１と対向する側の端面３１ｃに形成され吸入弁体３１の外径よりも大きな内径を有する変位規制部側凹部２０１と、変位規制部側凹部２０１の底面２０１ａに形成され加圧室の側に連通する連通部２０２と、を備える。吸入弁体３１の変位規制部側凹部２０１の側の一部が変位規制部側凹部２０１の内側に挿入された状態において、吸入弁体３１の外周面３１ｂと変位規制部側凹部２０１の内周面２０１ｂとの間に流体の絞り通路２０３が形成される。【選択図】図３Ａ
2020029771.tif 000002
【特許請求の範囲】
【請求項１】
加圧室と、前記加圧室に連通する燃料通路に設けられた電磁吸入弁機構とを備え、前記電磁吸入弁機構に吸入弁体、前記吸入弁体と協働して燃料通路の開閉を行う弁座及び前記吸入弁体の開弁方向への変位を規制する変位規制部を有する高圧燃料供給ポンプにおいて、
前記吸入弁体と前記変位規制部との対向部に前記吸入弁体に作用する流体抵抗力を増加させる流体抵抗力増加部を備え、
前記流体抵抗力増加部は、前記変位規制部の前記吸入弁体と対向する側の端面に形成され前記吸入弁体の外径よりも大きな内径を有する変位規制部側凹部と、前記変位規制部側凹部の底面に形成され前記加圧室の側に連通する連通部と、を備えると共に、前記吸入弁体の前記変位規制部側凹部の側の一部が前記変位規制部側凹部の内側に挿入された状態において前記吸入弁体の外周面と前記変位規制部側凹部の内周面との間に流体の絞り通路が形成されるように構成されたことを特徴とする高圧燃料供給ポンプ。
【請求項２】
請求項１に記載の高圧燃料供給ポンプにおいて、
前記吸入弁体の前記変位規制部と対向する側の変位規制部側端面を、前記流体抵抗力増加部による流体抵抗力が作用する受圧面として構成したことを特徴とする高圧燃料供給ポンプ。
【請求項３】
請求項２に記載の高圧燃料供給ポンプにおいて、
前記吸入弁体の径方向における前記絞り通路の寸法は、前記変位規制部側凹部の深さ寸法よりも小さいことを特徴とする高圧燃料供給ポンプ。
【請求項４】
請求項３に記載の高圧燃料供給ポンプにおいて、
前記吸入弁体は、円盤状の部材で構成されると共に、前記変位規制部側端面の中央部に突状部を備え、
前記吸入弁体は、前記変位規制部側端面の外周を前記受圧面の外周とすることを特徴とする高圧燃料供給ポンプ。
【請求項５】
加圧室と、前記加圧室に連通する燃料通路に設けられた電磁吸入弁機構とを備え、前記電磁吸入弁機構に吸入弁体、前記吸入弁体と協働して燃料通路の開閉を行う弁座及び前記吸入弁体の開弁方向への変位を規制する変位規制部を有する高圧燃料供給ポンプにおいて、
前記吸入弁体と前記弁座との対向部に前記吸入弁体に作用する流体抵抗力を増加させる流体抵抗力増加部を備え、
前記流体抵抗力増加部は、前記弁座の前記吸入弁体と対向する側の端面に形成され前記吸入弁体の外径よりも大きな内径を有する弁座側凹部を備えると共に、前記吸入弁体の前記弁座側凹部の側の一部が前記弁座側凹部の内側に挿入された状態において前記吸入弁体の外周面と前記弁座側凹部の内周面との間に流体の絞り通路が形成されるように構成されたことを特徴とする高圧燃料供給ポンプ。
【発明の詳細な説明】
【技術分野】
【０００１】
本発明は油圧機械の一種である高圧燃料供給ポンプに係わり、特に自動車に用いるのに好適な高圧燃料供給ポンプに関する。
【背景技術】
【０００２】
本発明の背景技術として、特開２０１０−１６８９０１号公報（特許文献1）に記載された高圧燃料ポンプが知られている。特許文献１の高圧燃料ポンプでは、加圧室に電磁弁を介して接続された燃料吸入通路と、電磁弁の弁体が着座する環状のシート面を有するシート部材と、を備えた高圧燃料ポンプにおいて、弁体及びシート面には、弁体の着座時に互いに凹凸嵌合する凹凸嵌合部が形成されている。これによって、電磁弁が閉弁する際には、凹凸嵌合部の凹部内の燃料が凸部によって圧縮される過程で、圧縮される燃料によって弁体には閉弁方向とは逆の力が付与され、弁体がシート面に着座する際の衝突エネルギを低減させ、弁体の着座音を低減することができる（要約参照）。
【０００３】
また、特許文献１には、凹凸嵌合部の凹部の底壁面に燃料供給通路と連通する貫通穴を設け、凹部内の燃料の一部が貫通穴から流れ出るようにすることで、弁体の着座時の移動速度を低減し、弁体の着座時の衝突エネルギを効果的に低減することが記載されている（段落００２８，００２９及び図６，７参照）。
【先行技術文献】
【特許文献】
【０００４】
【特許文献１】特開２０１０−１６８９０１号公報
【発明の概要】
【発明が解決しようとする課題】
【０００５】
特許文献１の高圧燃料ポンプの構造では、弁体に凹凸嵌合部の凸部が形成され、シート部材に凹凸嵌合部の凹部が形成される。すなわち特許文献１の高圧燃料ポンプは、弁体及びシート部材の両方に、凹凸嵌合部を構成するための特殊な形状部を形成する必要がある。またこの特殊な形状部は、弁体とシート部材とが対向するそれぞれの対向面の一部に形成される。そして、この特殊な形状部を形成するために、弁体及びシート部材を大きくする必要があり、また弁体及びシート部材の形状が複雑化する。
【０００６】
特許文献１の凹凸嵌合部は、弁体に作用する流体抵抗力を増加させる機構であり、本明細書では、流体抵抗力増加部又は流体抵抗力増加機構と呼ぶ。この流体抵抗力増加部は、弁体とシート部材との対向面ではなく、弁体がシート部材のシート面（弁座）から離間する方向に移動する動作（開弁動作）を行った場合に、弁体と当接して弁体の開弁方向への変位を規制する変位規制部に設けることにより、弁体と変位規制部との衝突エネルギを効果的に低減し、弁体が変位規制部に衝突する際の衝突音を低減することができる。本発明では、シート面及び変位規制部のように弁体がその開閉弁動作により当接する部位又は部材を当接部と呼んで説明する。また、高圧燃料供給ポンプには複数の弁機構が設けられているため、本発明が対象とする弁体を吸入弁体と呼んで説明する。
【０００７】
本発明の目的は、単純な形状で構成された吸入弁体の流体抵抗力増加部を有する高圧燃料供給ポンプを提供することにある。
【課題を解決するための手段】
【０００８】
上記目的を達成するために、本発明の高圧燃料供給ポンプは、
加圧室と、前記加圧室に連通する燃料通路に設けられた電磁吸入弁機構とを備え、前記電磁吸入弁機構に吸入弁体、前記吸入弁体と協働して燃料通路の開閉を行う弁座及び前記吸入弁体の開弁方向への変位を規制する変位規制部を有する高圧燃料供給ポンプにおいて、
前記吸入弁体と前記変位規制部との対向部に前記吸入弁体に作用する流体抵抗力を増加させる流体抵抗力増加部を備え、
前記流体抵抗力増加部は、前記変位規制部の前記吸入弁体と対向する側の端面に形成され前記吸入弁体の外径よりも大きな内径を有する変位規制部側凹部と、前記変位規制部側凹部の底面に形成され前記加圧室の側に連通する連通部と、を備えると共に、前記吸入弁体の前記変位規制部側凹部の側の一部が前記変位規制部側凹部の内側に挿入された状態において前記吸入弁体の外周面と前記変位規制部側凹部の内周面との間に流体の絞り通路が形成されるように構成される。
また上記目的を達成するために、本発明の高圧燃料供給ポンプは、
加圧室と、前記加圧室に連通する燃料通路に設けられた電磁吸入弁機構とを備え、前記電磁吸入弁機構に吸入弁体、前記吸入弁体と協働して燃料通路の開閉を行う弁座及び前記吸入弁体の開弁方向への変位を規制する変位規制部を有する高圧燃料供給ポンプにおいて、
前記吸入弁体と前記弁座との対向部に前記吸入弁体に作用する流体抵抗力を増加させる流体抵抗力増加部を備え、
前記流体抵抗力増加部は、前記弁座の前記吸入弁体と対向する側の端面に形成され前記吸入弁体の外径よりも大きな内径を有する弁座側凹部を備えると共に、前記吸入弁体の前記弁座側凹部の側の一部が前記弁座側凹部の内側に挿入された状態において前記吸入弁体の外周面と前記弁座側凹部の内周面との間に流体の絞り通路が形成されるように構成される。
【発明の効果】
【０００９】
本発明によれば、吸入弁体の流体抵抗力増加部を単純な形状で構成することができる。上記した以外の課題、構成及び効果は、以下の実施形態の説明により明らかにされる。
【図面の簡単な説明】
【００１０】
【図１】高圧燃料供給ポンプを含む燃料供給システムの概略図である。
【図２】高圧燃料供給ポンプの一例を正面から見た断面図である。
【図３Ａ】本発明の第１実施例における吸入弁体領域の詳細な断面図であり、吸入弁体が当接部（変位規制部）に衝突する状態を示す図である。
【図３Ｂ】本発明の第１実施例における吸入弁体領域の詳細な断面図であり、吸入弁体が当接部（変位規制部）から分離する状態を示す図である。
【図３Ｃ】本発明の第１実施例における吸入弁体領域の詳細な断面図であり、絞りを示す図である。
【図４】本発明の第１実施例において、吸入弁体が傾いた状態を示す詳細断面図である。
【図５】本発明の第２実施例における吸入弁体領域の詳細な断面図である。
【図６】絞り２０３と凹部２０１との寸法関係を示す図である。
【発明を実施するための形態】
【００１１】
以下、図面を用いて、本発明の実施例について説明する。
【実施例１】
【００１２】
図1を用いて、燃料供給システム（燃料ポンプシステム）の構成と動作について説明する。図１は、高圧燃料供給ポンプを含む燃料供給システムの概略図である。図１においては、高圧燃料供給ポンプ１の部分はその概念を模式的に示している。破線で囲まれた部分が高圧燃料供給ポンプ１の本体を示し、この破線の中に示している機構及び部品は、高圧燃料供給ポンプ１の本体に一体に組み込まれていることを示す。なお、以下の説明では、高圧燃料供給ポンプ１の本体をポンプ本体1と呼んで説明する。
【００１３】
燃料タンク２０の燃料はフィードポンプ２１によって汲み上げられ、吸入配管２８を通してポンプ本体1の吸入ジョイント１０ａに送られる。吸入ジョイント１０ａを通過した燃料は、吸入通路１０ｂを介して、容量可変機構を構成する電磁吸入弁機構３０の吸入ポート３０ａに至る。
【００１４】
電磁吸入弁機構３０は電磁コイル３０ｂを備え、この電磁コイル３０ｂが通電されていない状態では、可動子３０ｃはバネ３３により付勢されて図１の右方に移動した状態である。バネ３３は圧縮バネで構成され、可動子３０ｃが右方へ移動した状態では圧縮量が少なくなっている。可動子３０ｃの先端に取り付けられた吸入弁体３１がポンプ本体１の加圧室１１につながる吸入口３２を開いている。このバネ３３の付勢力により、吸入弁体３１は開弁方向に付勢され、吸入口３２は開いた状態となっている。
【００１５】
電磁吸入弁機構３０は、以下のように動作する。
【００１６】
後で述べるカム５の回転により、プランジャ２が図１の下方に変位して、ポンプ本体1が吸入工程状態にある時は、加圧室１１の容積は増加し、加圧室１１内の燃料圧力が低下する。この過程で、加圧室１１内の燃料圧力が吸入通路１０ｂの圧力よりも低くなり、吸入ポート３０ａから吸入口３２を通り、燃料が加圧室１１内に流れ込む。
【００１７】
プランジャ２が吸入工程を終了し、圧縮工程(プランジャ２が図１の上方へ移動する状態)に移る状態では、依然として、吸入弁体３１は開弁したままである。加圧室１１の容積は、プランジャ２の圧縮運動に伴い減少するが、加圧室１１に吸入された燃料が、再び開弁状態の吸入弁体３１を介して吸入通路１０ｂへと戻されるので、加圧室１１の圧力は上昇しない。この工程を戻し工程と呼ぶ。この状態で、エンジンコントロールユニット(ＥＣＵ)２７からの制御信号が電磁吸入弁機構３０に印加されると、電磁吸入弁機構３０の電磁コイル３０ｂには電流が流れ、磁気吸引力により、可動子３０ｃが図１の左方に移動し、バネ３３が圧縮される。その結果、吸入弁体３１も図１の左方に移動し、吸入口３２が閉じられる。
【００１８】
吸入弁体３１が閉じると、このときから加圧室１１の燃料圧力はプランジャ２の上昇運動とともに上昇する。加圧室１１の燃料圧力が燃料吐出口１２の圧力以上になると、吐出弁機構８を介して加圧室１１に残っている燃料の高圧吐出が行われ、吐出された高圧燃料はコモンレー２３へと供給される。この工程を吐出工程と呼ぶ。すなわち、プランジャ２の圧縮過程は、戻し工程と吐出工程とからなる。この状態で、ＥＣＵ２７からの制御信号を解除して、電磁コイル３０ｂへの通電を断つと、可動子３０ｃに働いている磁気吸引力は一定の時間後（磁気的、機械的遅れ時間後）に消去される。可動子３０ｃにはバネ３３による付勢力が働いているので、図１の右方向に移動しようとする。しかし、プランジャ２の圧縮行程中は加圧室１１内の圧力が高く、その圧力によって吸入弁体３１は閉弁状態を維持する。そのため可動子３０ｃは、ＥＣＵ２７からの制御信号が解除された後でも、プランジャ２の圧縮行程中は、図１の左方に移動した状態が維持される。
【００１９】
プランジャ２の圧縮行程が終了し再び吸入行程が開始すると、加圧室１１内の圧力が下がり、吸入弁体３１は可動子３０ｃを介してバネ３３の付勢力を受け、可動子３０ｃと共に図１の右方に移動し、吸入口３２が開かれる。
【００２０】
電磁吸入弁機構３０の電磁コイル３０ｂへの通電を開始するタイミングを制御することで、吐出される高圧燃料の量を制御することができる。電磁コイル３０ｂへの通電を開始するタイミングを早くすれば、圧縮工程中の戻し工程の割合が小さくなり、吐出工程の割合が大きくなる。すなわち、吸入通路１０ｂに戻される燃料が少なくなり、加圧室１１から燃料吐出口１２に高圧吐出される燃料は多くなる。一方、通電を開始するタイミングを遅くすれば、圧縮工程中の戻し工程の割合が大きくなり、吐出工程の割合が小さくなる。すなわち、吸入通路１０ｂに戻される燃料が多くなり、加圧室１１から燃料吐出口１２に高圧吐出される燃料は少なくなる。電磁コイル３０ｂへの通電を解除するタイミングは、ＥＣＵ２７からの指令によって制御される。以上のように構成することで、電磁コイル３０ｂへの通電を開始するタイミングを制御することで、高圧吐出される燃料の量を内燃機関が必要とする量に制御することが出来る。
【００２１】
加圧室１１の出口には吐出弁機構８が設けられている。吐出弁機構８は吐出弁シート８ａ、吐出弁８ｂ、吐出弁バネ８ｃを備え、加圧室１１の燃料圧力と燃料吐出口１２の燃料圧力との間に燃料差圧が無い状態では、吐出弁８ｂは吐出弁バネ８ｃによる付勢力により、吐出弁シート８ａに圧着され閉弁状態となっている。加圧室１１の燃料圧力が、燃料吐出口１２の燃料圧力よりも大きくなった時に始めて、吐出弁８ｂは吐出弁バネ８ｃの付勢力に逆らって開弁し、加圧室１１内の燃料は燃料吐出口１２を経てコモンレー２３へと高圧吐出される。
【００２２】
かくして、燃料吸入口３２に導かれた燃料は、ポンプ本体１の加圧室１１にてプランジャ２の往復動によって必要な量が高圧に加圧され、燃料吐出口１２からコモンレー２３に圧送される。
【００２３】
コモンレー２３には、インジェクタ２４、圧力センサ２６が装着されている。インジェクタ２４は、内燃機関の気筒数に合わせて、通常複数のインジェクタが装着されており、ＥＣＵ２７の制御信号にてしたがって開閉弁して、燃料をシリンダ内に噴射する。
【００２４】
ポンプ本体１にはさらに、吐出弁８ｂの下流側と加圧室１１とを連通するリリーフ通路１００Ａが吐出流路とは別に吐出弁８ｂをバイパスして設けられている。リリーフ通路１００Ａには燃料の流れを吐出流路から加圧室１１への一方向のみに制限するリリーフ弁１０２が設けられている。リリーフ弁１０２は、押付力を発生するリリーフバネ１０４によりリリーフ弁シート１０１に押付けられており、加圧室１１内とリリーフ通路１００Ａ内との間の圧力差が規定の圧力以上になるとリリーフ弁１０２がリリーフ弁シート１０１から離れ、開弁するように設定されている。
【００２５】
インジェクタ２４の故障等によりコモンレール２３等に異常高圧が発生した場合、リリーフ通路１００Ａの燃料圧力と加圧室１１の燃料圧力との差圧がリリーフ弁１０２の開弁圧力以上になると、リリーフ弁１０２が開弁し、異常高圧となった燃料はリリーフ通路１００Ａから加圧室１１へと戻され、コモンレール２３等の高圧部配管が保護される。
【００２６】
以下に高圧燃料供給ポンプ１の構成と動作を、図２を用いてさらに詳しく説明する。図２は、高圧燃料供給ポンプの一例を正面から見た断面図である。なお図２は、高圧燃料供給ポンプ１の基本構成の一例を示しており、高圧燃料供給ポンプ１の概念を模式的に示している。
【００２７】
ポンプ本体１には中心に加圧室１１が形成されており、さらに加圧室１１に燃料を供給するための電磁吸入弁機構３０と、加圧室１１から吐出通路に燃料を吐出するための吐出弁機構８とが設けられている。
【００２８】
プランジャ２の進退運動をガイドするシリンダ６が加圧室１１に臨むようにして取り付けられている。シリンダ６は外周がシリンダホルダ７で保持され、ポンプ本体１に固定される。シリンダ６は加圧室１１内で進退運動するプランジャ２をその進退運動方向に沿って摺動可能に保持する。
【００２９】
プランジャ２の下端には、エンジンのカムシャフトに取り付けられたカム５の回転運動を上下運動に変換し、プランジャ２に伝達するタペット３が設けられている。これによりカム５の回転運動に伴い、プランジャ２を上下に進退（往復）運動させることができる。ダンパカバー１４には、ポンプ内で発生した圧力脈動が燃料配管２８へ波及するのを低減させる圧力脈動低減機構９が設置されている。
【００３０】
圧力脈動低減機構９を通った燃料は、吸入通路１０ｂ、吸入ポート３０ａの順に吸入口３２を通って加圧室１１内へ流れる。先述の通り、電磁吸入弁機構３０は電磁コイル３０ｂを備え、この電磁コイル３０ｂが通電されていない状態では可動子３０ｃが図１の右方に移動した状態である。可動子３０ｃの先端に取り付けられた吸入弁体３１がポンプ本体１の加圧室１１につながる吸入口３２を開いている。このバネ３３の付勢力により、吸入弁体３１は開弁方向に付勢され、吸入口３２は開いた状態となっている。
【００３１】
プランジャ２の圧縮期間中に制御信号が電磁吸入弁機構３０に印加されると、電磁吸入弁機構３０の電磁コイル３０ｂに電流が流れ、磁気吸引力により可動子３０ｃが図１の左方に移動し、バネ３３が圧縮される。この時、吸入弁体３１も可動子３０ｃと一緒に左方に移動し、弁座４４と衝突した際に衝突音が発生する。また、プランジャ２の圧縮工程が終了し、吸入工程に移る際に、電磁吸入弁機構３０に通電されている制御信号（駆動電流）がなくなると、バネ３３によって、可動子３０ｃが右方に移動する。そして、可動子３０ｃと吸入弁体３１とが衝突し、可動子３０ｃと吸入弁体３１とが一緒に右方に移動し、吸入弁体３１と吸入弁体３１の変位規制部４３とが衝突し、衝突音が発生する。一般的に、衝突する物体の速度が速ければ速いほど衝突音も大きくなる。従って、吸入弁体３１が変位規制部４３と衝突する速度を低減出来れば、吸入弁体３１と変位規制部４３との衝突時に発生する衝突音を低減できる。
【００３２】
そこで、本実施例では、吸入弁体３１と変位規制部４３とが衝突する直前で、吸入弁体３１に作用する流体抵抗力を増加させることで、衝突速度の低減を実現させた。この流体抵抗力を増加させる機構を流体抵抗力増加機構又は流体抵抗力増加部と呼ぶ。なお変位規制部４３は、吸入弁体３１が弁座４４から離間する方向に移動する動作（開弁動作）を行った場合に、吸入弁体３１と当接して吸入弁体３１の開弁方向への変位を規制するストッパを構成する。
【００３３】
流体抵抗力増加機構の第１実施例を、図３Ａ、図３Ｂ及び図３Ｃを用いて詳細に説明する。図３Ａは、本発明の第１実施例における吸入弁体領域の詳細な断面図であり、吸入弁体が当接部（変位規制部）に衝突する状態を示す図である。図３Ｂは、本発明の第１実施例における吸入弁体領域の詳細な断面図であり、吸入弁体が当接部（変位規制部）から分離する状態を示す図である。図３Ｃは、本発明の第１実施例における吸入弁体領域の詳細な断面図であり、絞りを示す図である。
【００３４】
吸入弁体３１が変位規制部４３に衝突する領域に、流体抵抗力増加機構２００を構成する。流体抵抗力増加機構２００は、凹部（変位規制部側凹部）２０１と、連通部２０２と、絞り２０３とを含んで構成される。
【００３５】
凹部２０１及び連通部（連通孔）２０２は、変位規制部４３側に形成される。凹部２０１は、吸入弁体３１の半径Ｒ３１より大きく、変位規制部４３の半径Ｒ４３より小さい半径Ｒ２０１を有するように、変位規制部４３における吸入弁体３１と対向する側の端面４３ａに凹状に形成されている。すなわち、凹部２０１の直径（内径）は、吸入弁体３１の直径よりも大きく、変位規制部４３の直径（外径）よりも小さい。連通部２０２は、凹部２０１の底面２０１ａに開口し、凹部２０１の内側と加圧室１１側の燃料通路とを連通するように、変位規制部４３側に形成される。
【００３６】
吸入弁体３１は、外形が円形で、バネ（閉弁方向付勢バネ）３７側の端面に突状部３１ａが形成された円盤状の部材であり、その直径が厚さ方向（開閉弁方向に沿う方向の寸法）の寸法よりも大きい。一方、凹部２０１は、変位規制部４３の端面４３ａに円形の開口を形成する断面が円形の内周面を有する。吸入弁体３１の外径は凹部２０１の内径よりもわずかに小さく、吸入弁体３１は、凹部２０１に対向する側の一部が凹部２０１の内側に出入り可能な状態で、変位規制部４３に組み付けられている。吸入弁体３１は、凹部２０１に近接することで、或いは凹部２０１に対向する側の一部が凹部２０１の内側に入り込むことで、図３Ｃに示すように、吸入弁体３１の外周面３１ｂと凹部２０１の内周面２０１ｂとの間に絞り２０３が構成される。そして吸入弁体３１は、凹部２０１に対向する側の端面３１ｃが凹部２０１の底面２０１ａに当接することで、開弁方向への変位が規制される。
【００３７】
すなわち本実施例では、吸入弁体３１と変位規制部４３とが衝突する前に、吸入弁体３１の外周面と、凹部２０１の内周面とによって、流路が狭まる絞り２０３が形成される形状となっている。絞り２０３は凹部２０１から流出する流体（燃料）の流路断面積を小さくする絞り流路（絞り通路）を構成する。
【００３８】
変位規制部４３に凹部２０１を設けることで、吸入弁体３１と変位規制部４３とが衝突する直前で絞り２０３が形成される。これによって、吸入弁体３１の端面３１ｃと凹部２０１の底面２０１ａとの間の流体（燃料）が凹部２０１から流出しにくくなり、吸入弁体３１と変位規制部４３との間の領域で圧力が上昇する。そして、吸入弁体３１の開弁方向への進行を妨げる方向に作用する流体力が増加し、吸入弁体３１の衝突速度が低下する。その結果、吸入弁体３１が変位規制部４３に当接する際の衝突音も低減する。
【００３９】
この場合、吸入弁体３１の変位規制部と対向する側の端面３１ｃを、流体抵抗力増加部２００による流体抵抗力が作用する受圧面３１ｅとして構成する。吸入弁体３１は、端面３１ｃの外周を受圧面３１ｅの外周とする。
【００４０】
凹部２０１の底面２０１ａの連通部２０２よりも径方向内方の部分に窪み部４３ｂが形成されている。窪み部４３ｂには、吸入弁体３１を閉弁方向に付勢するバネ３７が収容され、吸入弁体３１の突状部３１ａの一部が挿入される。そしてバネ３７は、突状部３１ａの外周よりも径方向外方において、吸入弁体３１の端面３１ｃに当接している。このような構成において、受圧面３１ｅの内周は、突状部３１ａの外周、さらにはバネ３７の外周よりも径方向外方に位置し、受圧面３１ｅは、図３Ａに示すように、端面３１ｃの、凹部２０１の底面２０１ａと対向する部分Ｓ３１ｅになる。
【００４１】
図６は、絞り２０３と凹部２０１との寸法関係を示す図である。吸入弁体３１の端面３１ｃが凹部２０１の開口面上に位置する場合、端面３１ｃと凹部２０１の底面２０１ａとの間に構成される隙間寸法ｌａに対して、吸入弁体３１の径方向における絞り通路２０３の寸法（吸入弁体３１の外周面３１ｂと凹部２０１の内周面２０１ｂとの間隔寸法）ｌｂが小さくなる。端面３１ｃと凹部２０１の底面２０１ａとの隙間寸法ｌａは、凹部２０１の深さ寸法に等しい。
【００４２】
しかし、絞り２０３のみを設けた変位規制部４３の場合、吸入弁体３１が変位規制部４３から分離（離間）する際に、吸入弁体３１と変位規制部４３との間で、低圧領域Ａが生じ、吸入弁体３１を変位規制部４３に引き寄せる方向に作用する力が増加し、吸入弁体３１が変位規制部４３から分離し難くなる。その結果、弁の閉じ遅れ現象が起こり、製品の性能にばらつきが生じる。そこで、図３Ｂに示すように、変位規制部４３に連通部２０２を設けることで、吸入弁体３１が変位規制部４３から離れる際に、連通部２０２を通じて加圧室１１側の燃料が吸入弁体３１の端面３１ｃと凹部２０１の底面２０１ａとの間に流入できるようにする。これにより端面３１ｃと底面２０１ａとの間に発生する低圧領域Ａを低減させ、吸入弁体３１を変位規制部４３から分離しやすくする。その結果、弁の閉じ遅れ現象を抑制することができ、製品の性能のばらつきを抑制することができる。
【００４３】
変位規制部４３は、衝突音の低減を可能にするだけでなく、吸入弁体３１が変位規制部４３に傾いて衝突する際の、傾き角を抑制する効果もある。この効果を、図４を用いて説明する。図４は、本発明の第１実施例において、吸入弁体が傾いた状態を示す詳細断面図である。
【００４４】
図４で示すように、吸入弁体３１が変位規制部４３に対して傾いた状態で衝突する際に、吸入弁体３１と変位規制部４３との間の距離が近い領域と、距離が遠い領域の２つの領域が存在する。吸入弁体３１と変位規制部４３との間の距離が近い領域では、吸入弁体３１と変位規制部４３とが衝突する直前に、吸入弁体３１と変位規制部４３との間の圧力が上昇し、吸入弁体３１の衝突速度が減速する。また、吸入弁体３１と変位規制部４３との間の距離が遠い領域では、吸入弁体３１と変位規制部４３との間の圧力が近い領域と比べて上昇せず、速度が減速しない。このため、吸入弁体３１と変位規制部４３とのが衝突する直前に、吸入弁体３１と変位規制部４３とが平行になるように、吸入弁体３１の傾きが修正される。
【００４５】
本実施例では、吸入弁体３１の形状は円盤形状に形成するだけでよく、例えば突起状の部位や凹状に窪んだ部位などを特別ね形成する必要が無く、変位規制部４３に凹部２０１と連通部２０２とを形成するだけでよい。すなわち、互いに当接する２つの部材（吸入弁体３１、変位規制部４３）のうち、一方の部材（本実施例では、変位規制部４３に）凹部２０１と連通部２０２とを形成するだけでよい。これにより、吸入弁体の流体抵抗力増加部を単純な形状で構成することができる。
【００４６】
なお、連通部２０２は、１つであってもよいし、２つ以上設けられてもよい。
【実施例２】
【００４７】
図５を用いて、第２実施例の高圧燃料供給ポンプについて説明する。図５は、本発明の第２実施例における吸入弁体領域の詳細な断面図である。
【００４８】
本実施例では、吸入弁体３１が弁座４４に衝突する領域に、流体抵抗力増加機構２０７を構成している。流体抵抗力増加機構２０７は、凹部（弁座側凹部）２０８と、絞り２０９とを含んで構成される。
【００４９】
凹部２０８は、弁座４４における吸入弁体３１と対向する側の端面４４ａに凹状に形成されている。凹部２０８の半径Ｒ２０８は、吸入弁体３１の半径Ｒ３１よりも大きい。すなわち、凹部２０８の直径（内径）は、吸入弁体３１の直径（外径）よりも大きい。変位規制部４３における吸入弁体３１との対向面（端面）４３ａに凹状に形成されている。
【００５０】
弁座４４は、吸入弁体３１と協働して加圧室１１への燃料通路を開閉する弁部を構成し、吸入弁体３１が弁座４４に当接することにより加圧室１１への燃料の流入または加圧室１１からの燃料の流出を遮断し、吸入弁体３１が弁座４４から離間することにより加圧室１１への燃料の流入または加圧室１１からの燃料の流出を許す。特に本実施例では、弁座４４の吸入弁体３１と当接するシート部（当接部）は、凹部２０８の底面２０８ａに形成されている。
【００５１】
吸入弁体３１は、凹部２０８に近接することで、或いは凹部２０８に対向する端面３１ｄ側の一部が凹部２０８の内側に入り込むことで、吸入弁体３１の外周面３１ｂと凹部２０８の内周面２０８ｂとの間に絞り２０９が構成される。そして吸入弁体３１は、端面３１ｄが底面２０８ａに当接することで、閉弁方向への変位が規制される。なお本実施例では、第１実施例における連通部２０２は、吸入ポート３０ａと加圧室１１とを連通する燃料通路２１０によって構成される。
【００５２】
絞り２０３と凹部２０８との寸法関係は、図６を用いて説明した、第１実施例の絞り２０３と凹部２０１との寸法関係と同様に構成される。すなわち、吸入弁体３１の外周面３１ｂと凹部２０８の内周面２０８ｂとの間隔寸法（吸入弁体３１の径方向における絞り通路２０９の寸法）ｌｂと、吸入弁体３１の端面３１ｄが凹部２０８の開口面上に位置する場合の、端面３１ｄと凹部２０８の底面２０８ａとの間に構成される隙間寸法とは、第１実施例の隙間寸法ｌｂと隙間寸法ｌａとの関係と同様に構成される。
【００５３】
本実施例では、図５で示すように、第１実施例の高圧燃料供給ポンプ１に流体抵抗力増加機構２０７を弁座４４側に追加している。しかし流体抵抗力増加機構２００及び流体抵抗力増加機構２０７の両方を備えた構成に限らず、流体抵抗力増加機構２００又は流体抵抗力増加機構２０７のどちらか一方を備えた構成であってもよい。
【００５４】
本発明に係る上述した各実施例によれば、円盤状の吸入弁体３１の平らな端面３１Ｃ、３１Ｄを流体力が作用する受圧面としているため、流体抵抗力増加機構２００，２０７を構成する受圧面を広くすることができる。このため各実施例の流体抵抗力増加機構２００，２０７は、大きな流体抵抗力を容易に発生することができる。また、連通部２０２を構成する場合に、連通部２０２の断面積を適切な大きさにしたり、連通部２０２の数を適切な数にしたりすることが容易で、開閉弁動作の低速化を招くことなく吸入弁体３１の移動速度を低減して、吸入弁体３１と当接部（変位規制部４３、弁座４４）との衝突エネルギを効果的に低減することができる。
【００５５】
また、特許文献１の高圧燃料ポンプの構造では、弁体とシート面（弁座）とが分離する際に凹凸嵌合部内で負圧が生じ、弁体がシート面から分離しづらくなり、弁体がシート面に張り付いた状態になることがある。凹凸嵌合部内の負圧により弁体がシート面に張り付くと、弁体がシート面から分離する動作（開弁動作）が遅くなる。そして製品ごとに生じる凹凸嵌合部の個体差により、製品性能にばらつきが生じる。本実施例では、製品ごとに生じる性能のばらつきを抑制することができる。
【００５６】
なお、本発明は上記した各実施例に限定されるものではなく、様々な変形例が含まれる。例えば、上記した実施例は本発明を分かりやすく説明するために詳細に説明したものであり、必ずしも全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５７】
１…高圧燃料ポンプ本体、２…プランジャ、３…タペット、８…吐出弁機構、９…圧力脈動低減機構、１０ａ…吸入ジョイント、１０ｂ…吸入通路、１１…加圧室、１２…燃料吐出口、２３…コモンレール、２０…燃料タンク、２１…フィードポンプ、２８…吸入配管、３０…電磁吸入弁機構、３０ａ…吸入ポート、３０ｂ…電磁コイル、３０ｃ…可動子、３１…吸入弁体、３３…バネ、４３…変位規制部、４４…弁座、１０２…リリーフ弁、２０２…連通部、２００…流体抵抗力増加機構、２０１…凹部、２０３…絞り、２０７…流体抵抗力増加機構、２０８…凹部、２０９…絞り。
【図１】
2020029771.tif 000003
【図２】
2020029771.tif 000004
【図３Ａ】
2020029771.tif 000005
【図３Ｂ】
2020029771.tif 000006
【図３Ｃ】
2020029771.tif 000007
【図４】
2020029771.tif 000008
【図５】
2020029771.tif 000009
【図６】
2020029771.tif 000010